(57)【要約】本発明では、外排出と内循環の薄型レンジフードを開示しており、排気チャンバーに取り付けられる吸気装置を含み、当該吸気装置は、ケースと、くまどりモータと、炭素ボックスと、換気用ダクトと、排気口と、ウィンドシールドと、を有し、前記外排出と内循環の薄型レンジフードにおいて、前記排気口は前記ケースの側壁に設けられ、前記ケースは左右両側に前記換気用ダクトがそれぞれ設けられ、前記排気口は左右両側の前記換気用ダクトと貫通しており、前記ウィンドシールドは前記排気口に設けられ、前記くまどりモータは前記ケース左右両側の前記換気用ダクトにそれぞれ設けられ、前記くまどりモータの下端には油煙の異臭を取り除く前記炭素ボックスが設けられ、油煙給気口は前記炭素ボックスに設けられ、前記ケースには、それぞれ対応するカバープレートＡ、カバープレートＬ、カバープレートＴによってカバーされたワイヤ溝が設けられる。本発明は、簡単な構造を有するだけでなく且つ内循環の排出方式として使用可能となり、少しの変更で外排出方式が使用可能となり、つまり内循環と外排出方式という二つの選択機能を有する薄型レンジフードを使用者に提供する。【選択図】図１
2014524007.tif 000002
【特許請求の範囲】
【請求項１】
外排出と内循環の薄型レンジフードは、排気チャンバーに取り付けられる吸気装置を含み、当該吸気装置は、ケースと、くまどりモータと、炭素ボックスと、換気用ダクトと、排気口と、ウィンドシールドと、を有し、
前記外排出と内循環の薄型レンジフードにおいて、
前記排気口は前記ケースの側壁に設けられ、前記ケースは左右両側に前記換気用ダクトがそれぞれ設けられ、前記排気口は左右両側の前記換気用ダクトと貫通しており、前記ウィンドシールドは前記排気口に設けられ、前記くまどりモータは前記ケース左右両側の前記換気用ダクトにそれぞれ設けられ、前記くまどりモータの下端には油煙の異臭を取り除く前記炭素ボックスが設けられ、油煙給気口は前記炭素ボックスに設けられ、前記ケースには、それぞれ対応するカバープレートＡ、カバープレートＬ、カバープレートＴによってカバーされたワイヤ溝が設けられることを特徴とする外排出と内循環の薄型レンジフード。
【請求項２】
前記ケースの左右両側に、前記くまどりモータを取り付けるための円状孔がそれぞれ設けられていることを特徴とする請求項１に記載の外排出と内循環の薄型レンジフード。
【請求項３】
前記換気用ダクトは平面スクロール式の形状であり、前記ケースの前には内循環排気ダクトがさらに設けられ、前記内循環排気ダクトは左右両側の前記換気用ダクトと貫通していることを特徴とする請求項１に記載の外排出と内循環の薄型レンジフード。
【請求項４】
前記換気用ダクトと、前記排気口の方向と、内循環排気ダクトと、前記くまどりモータの排気道と、は同一の水平面に設けられていることを特徴とする請求項１に記載の外排出と内循環の薄型レンジフード。
【請求項５】
前記排気口に取り付けられた前記ウィンドシールドと、前記ケースと、の間はヒンジ・タイプ接続になっており、前記ウィンドシールドの他端に設けられた長方形のバンプにより往復で方向を変えることを特徴とする請求項１に記載の外排出と内循環の薄型レンジフード。
【請求項６】
前記くまどりモータの下端には、前記炭素ボックスに対応した突起装置が設けられており、前記突起装置と、前記炭素ボックス上の貫通孔と、を合致させることにより、前記炭素ボックスが緩むことを防止することを特徴とする請求項１に記載の外排出と内循環の薄型レンジフード。
【発明の詳細な説明】
【技術分野】
【０００１】
本発明は、キッチン家電に関する。具体的には、外排出と内循環の薄型レンジフードに関するものである。
【背景技術】
【０００２】
薄型レンジフードは、それ自体の構造に無駄がなく、占用空間が小さく、且つ価格が比較的に安いといったメリットから、多くの使用者に愛用されてきた。しかし、普通の薄型レンジフードは、油煙を直接大気に排出することから、実際に油煙による二次汚染が存在する。それとは別に、油煙を分離処理した後、キッチン内に排出し、循環させるというもう１種類の薄型レンジフードがある。しかし後者のほうは、構造が比較的複雑で、コストも高すぎるという欠点がある。また現在の薄型レンジフードの使用性能は極めて単一である。
【発明の概要】
【発明が解決しようとする課題】
【０００３】
本発明が解決しようとする課題は、外排出と内循環の薄型レンジフードを提供することにより、従来技術におけるレンジフード性能が単一で且つ構造が複雑といった不備を解消することである。
【課題を解決するための手段】
【０００４】
前述した目的を達成するため本発明は、外排出と内循環の薄型レンジフードを提供する。当該外排出と内循環の薄型レンジフードは、排気チャンバーに取り付けられる吸気装置を含み、当該吸気装置は、ケースと、くまどりモータと、炭素ボックスと、換気用ダクトと、排気口と、ウィンドシールドと、を有し、前記外排出と内循環の薄型レンジフードにおいて、前記排気口は前記ケースの側壁に設けられ、前記ケースは左右両側に前記換気用ダクトがそれぞれ設けられ、前記排気口は左右両側の前記換気用ダクトと貫通しており、前記ウィンドシールドは前記排気口に設けられ、前記くまどりモータは前記ケース左右両側の前記換気用ダクトにそれぞれ設けられ、前記くまどりモータの下端には油煙の異臭を取り除く前記炭素ボックスが設けられ、油煙給気口は前記炭素ボックスに設けられ、前記ケースには、それぞれ対応するカバープレートＡ、カバープレートＬ、カバープレートＴによってカバーされたワイヤ溝が設けられることを特徴とする外排出と内循環の薄型レンジフードである。
【０００５】
上記技術案では、前記ケースの左右両側に前記くまどりモータを取り付けるための円状孔がそれぞれ設けられている。
【０００６】
上記技術案では、前記換気用ダクトは平面スクロール式の形状であり、前記ケースの前には内循環排気ダクトがさらに設けられ、前記内循環排気ダクトは左右両側の前記換気用ダクトと貫通している。
【０００７】
上記技術案では、前記換気用ダクトと、前記排気口の方向と、内循環排気ダクトと、前記くまどりモータの排気道と、は同一の水平面に設けられている。
【０００８】
上記技術案では、前記排気口に取り付けられた前記ウィンドシールドと前記ケースの間はヒンジ・タイプ接続になっており、前記ウィンドシールドの他端に設けられた長方形のバンプにより往復で方向を変える。
【０００９】
上記技術案では、前記くまどりモータの下端には、前記炭素ボックスに対応する突起装置が設けられており、前記突起装置と、前記炭素ボックス上の貫通孔と、を合致させることにより、前記炭素ボックスが緩むことを防止する。
【００１０】
従来技術よりも、本発明の技術案には次のメリットがある。薄型レンジフードの内循環には排気チューブがいらず、分離された油煙の異臭が炭素ボックスで吸い込まれて浄化された後キッチン内に排出されて新鮮な気流として循環される。外排出するとき、チューブで室外に排出されるのは油煙汚染のない新鮮な空気である。また、本発明薄型レンジフードは、極めて簡単な構造で外排出と内循環の機能を結びつけ、内循環と外排出の二つの選択機能を有する。これで、異なる家庭の日常生活の使用を満たすことができ、極めて便利で、さらに、二つのくまどりモータを使用することから、油煙を吸い込む効果が優れている。
【発明を実施するための形態】
【００１１】
以下に図面及び実施例を参照して、本発明の具体的な実施形態に対し詳細に説明する。以下に述べる実施例は単に本発明を説明するために用いられ、本発明の請求範囲を制限するものではない。
【００１２】
図１、図２に示すように、外排出と内循環の薄型レンジフードであって、排気チャンバーに取り付けられる吸気装置１を含み、当該吸気装置１には、ケース２と、くまどりモータ３と、炭素ボックス４と、換気用ダクト５と、排気口６と、ウィンドシールド７と、を有する。前記排気口６はケース２の側壁に設けられ、前記ケース２は左右両側に換気用ダクト５がそれぞれ設けられ、排気口６は左右両側の換気用ダクト５と貫通しており、前記ウィンドシールド７は前記排気口６に設けられ、前記くまどりモータ３は前記ケース２左右両側の換気用ダクト５にそれぞれ設けられ、くまどりモータ３の下端には油煙の異臭を取り除く炭素ボックス４が設けられ、油煙給気口８は前記炭素ボックス４に設けられ、ケース２にはワイヤ溝９を設けられており、電源線が溝中に敷設され、それぞれカバープレートＡ１０、カバープレートＬ１１、カバープレートＴ１２によってカバーされたことで、レンジフードがより洗練されたものになる。
【００１３】
前記ケース２の左右両側に前記くまどりモータ３と合致する取り付けのための円状孔１３がそれぞれ設けられており、左右両側の前記くまどりモータのファンブレードの回転方向はそれぞれは反時計回りと時計回りであり、前記ファンブレードの回転方向は排気道と一致すべきである。
【００１４】
前記換気用ダクト５は平面スクロール式の形状であり、ケースの前には内循環排気ダクト１４がさらに設けられ、内循環排気ダクトは左右両側の換気用ダクトと貫通して、左右両側から吸い込まれた油煙が内循環による排気道で合流するとき、油煙がさらに上昇して、排気チャンバーからキッチン内に排出し、循環される。
【００１５】
前記換気用ダクト５と、排気口６の方向と、内循環排気ダクト１４と、くまどりモータ３の排気道と、は同一の水平面に設けられている。
【００１６】
前記排気口６に取り付けられた前記ウィンドシールド７とケース２の間はヒンジ・タイプ接続になっており、ウィンドシールド７の他端に設けられた長方形のバンプにより往復で方向を変える
【００１７】
前記くまどりモータ３の下端には、炭素ボックスに対応する突起装置１５が設けられており、突起装置と、炭素ボックス上の貫通孔１６と、を合致させることにより、炭素ボックス４が緩むことを防止する。
【００１８】
図３に示すように、本発明は、外排出使用時の操作過程において、まず左右両側のウィンドシールド７を開き、レンジフードの電源が入ったら起動し、油煙が炭素ボックスにて浄化されてくまどりモータに入って加圧された後、左右両側の換気用ダクト５を介して排気チューブによって排気口６からすぐ室外へ排出される。もちろん本発明は、油煙のにおいが酷い家庭で使用される場合、炭素ボックスを取り外して、排気チューブによって排気口６から室外に直接排出しても良い。
【００１９】
図４に示すように、本発明は、内循環使用時の操作過程において、まず、左右両側のウィンドシールド７を閉じ、レンジフードの電源が入ったら起動し、左右両側のウィンドシールド７が閉じていることと、周りも排気チャンバーのケースにより密封されるので、油煙が炭素ボックスにて浄化され、くまどりモータに入って加圧された後、それぞれ左右両側の換気用ダクト５からケースの前面の内循環排気ダクトで合流し、最後に油煙が上昇して、排気チャンバーに設けられた排気口からキッチン内に排出されて循環される。
【００２０】
本発明の薄型レンジフードの内循環には排気チューブがいらず、分離された油煙の異臭が炭素ボックスに吸い込まれ、浄化された後キッチン内に排出され、新鮮な気流として循環される。外排出するとき、チューブで室外に排出されるのは油煙汚染のないきれいな空気である。また、本発明薄型レンジフードは、極めて簡単な構造で外排出と内循環の機能を結びつけ、内循環と外排出の二つの選択機能を有する。これで、異なる家庭の日常生活を満たすことができ、極めて便利で、さらに、二つのくまどりモータを使用することから、油煙を吸い込む効果が優れている。
【００２１】
以上は本発明の好ましい実施の形態に過ぎず、当業者にとって、本発明の技術原理から逸脱しない限り、若干の改善および手直しをすることもでき、これらの改善および手直しは本発明の請求範囲として見なすべきである。
【図面の簡単な説明】
【００２２】
【図１】本発明に係る外排出と内循環の薄型レンジフードの分解図である。
【図２】本発明に係る外排出と内循環の薄型レンジフードのもう一つの分解図である。
【図３】本発明に係る外排出と内循環の薄型レンジフードの外排使用状況を示す図である。
【図４】本発明に係る外排出と内循環の薄型レンジフードの内循環使用状況を示す図である。
【符号の説明】
【００２３】
１  吸気装置
２  ケース
３  くまどりモータ
４  炭素ボックス
５  換気用ダクト
６  排気口
７  ウィンドシールド
８  油煙給気口
９  ワイヤ溝
１０  カバープレートＡ
１１  カバープレートＬ
１２  カバープレートＴ
１３  円状孔
１４  排気ダクト
１５  突起装置
１６  貫通孔
【図１】
2014524007.tif 000003
【図２】
2014524007.tif 000004
【図３】
2014524007.tif 000005
【図４】
2014524007.tif 000006
【国際調査報告】
2014524007.tif 000007
2014524007.tif 000008
2014524007.tif 000009
2014524007.tif 000010